Podtech/llm-jp-corpus-v4-ja_patent huggingface dataset:
【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
正極、負極、及び電解液を備え、前記負極が負極材と負極集電体とを有し、前記負極材がビスフェノール系樹脂と負極活物質と、を含み、前記負極集電体が耳部を有し、前記耳部にはＳｎ、又はＳｎ合金の表面層が形成されている、鉛蓄電池の製造方法であって、
前記負極集電体を用意する工程を備え、
前記負極集電体を用意する工程が、基材を用意する工程と、当該基材上に、前記表面層となるＳｎ又はＳｎ合金からなる層を形成する工程と、を備える、鉛蓄電池の製造方法。
【請求項２】
Ｓｎ又はＳｎ合金からなる層を形成する前記工程が、前記基材の両面に前記表面層を形成するためのＳｎシート又はＳｎを含む合金シートを重ね合わせて、圧延ローラで圧延する工程を含む、請求項１に記載の鉛蓄電池の製造方法。
【請求項３】
前記Ｓｎ又はＳｎ合金からなる層を形成する前記工程が、前記圧延する工程で得られた圧延シートをエキスパンド法により展開する工程を更に含む、請求項２に記載の鉛蓄電池の製造方法。
【請求項４】
Ｓｎ又はＳｎ合金からなる層を形成する前記工程が、前記基材の前記耳部となる部分にＳｎ又はＳｎ合金を溶融メッキする工程である、請求項１に記載の鉛蓄電池の製造方法。
【請求項５】
前記鉛蓄電池が部分充電状態下で使用される鉛蓄電池である、請求項１〜４のいずれか一項に記載の鉛蓄電池の製造方法。
【請求項６】
前記鉛蓄電池が、アイドリングストップシステム車用の鉛蓄電池である、請求項１〜５のいずれか一項に記載の鉛蓄電池の製造方法。
【請求項７】
前記鉛蓄電池が、マイクロハイブリッド車用の鉛蓄電池である、請求項１〜５のいずれか一項に記載の鉛蓄電池の製造方法。
【手続補正書】
【提出日】令和2年9月2日(2020.9.2)
【手続補正１】
【補正対象書類名】明細書
【補正対象項目名】００３３
【補正方法】変更
【補正の内容】
【００３３】
出力コネクタ１３１は、例えば、ＪＥＩＴＡ  ＲＣ−５２３６「音響機器用ラッチロック式丸形コネクタ」に規定される出力コネクタである。出力コネクタ１３１は、接地用の第１ピンＰＩＮ１と、信号のホット側の第２ピンＰＩＮ２と、信号のコールド側の第３ピンＰＩＮ３と、を備える。
【手続補正２】
【補正対象書類名】明細書
【補正対象項目名】００８０
【補正方法】変更
【補正の内容】
【００８０】
第３トランジスタＱ３のベースは、第３コンデンサＣ３と、第４抵抗Ｒ４と、第５抵抗Ｒ５と、に接続される。その結果、第３トランジスタＱ３は、第３コンデンサＣ３と、第３抵抗Ｒ３と、信号線Ｌ２と、ＦＥＴ１２と、を介して、ユニット１１の固定極（第１出力端）に接続される。第３トランジスタＱ３のエミッタは、第４抵抗Ｒ４と、出力コネクタ１３１の第３ピンＰＩＮ３と、に接続される。第３トランジスタＱ３のコレクタは、第５抵抗Ｒ５と、第４トランジスタＱ４のコレクタと、に接続される。第３トランジスタＱ３のベース電位は、第４抵抗Ｒ４の抵抗値と、第５抵抗Ｒ５の抵抗値と、の比により設定される。
【手続補正３】
【補正対象書類名】明細書
【補正対象項目名】００８１
【補正方法】変更
【補正の内容】
【００８１】
第４トランジスタＱ４のベースは、第４コンデンサＣ４と、第６抵抗Ｒ６と、第７抵抗Ｒ７と、に接続される。第４トランジスタＱ４のエミッタは、第６抵抗Ｒ６と、出力コネクタ１３１の第２ピンＰＩＮ２と、に接続される。第４トランジスタＱ４のコレクタは、第７抵抗Ｒ７と、第３トランジスタＱ３のコレクタと、に接続される。第４トランジスタＱ４のベース電位は、第６抵抗Ｒ６の抵抗値と、第７抵抗Ｒ７の抵抗値と、の比により設定される。
【手続補正４】
【補正対象書類名】明細書
【補正対象項目名】００８４
【補正方法】変更
【補正の内容】
【００８４】
第３トランジスタＱ３のベースは、第３コンデンサＣ３と第３抵抗Ｒ３とを介してＦＥＴ１２のドレイン（第１トランジスタＱ１のエミッタ）に接続され、第３コンデンサＣ３を介して第２トランジスタＱ２のエミッタに接続される。すなわち、第２トランジスタＱ２のエミッタは、ＦＥＴ１２のドレインと、第３トランジスタＱ３のベースと、の間に接続される。
【手続補正５】
【補正対象書類名】図面
【補正対象項目名】図４
【補正方法】変更
【補正の内容】
【図４】
2019054472.tif 000001
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
入力信号に応じた超音波を予め設定された進行方向に向けて音波出力面（１０Ａ）から出力するように構成された少なくとも１つの超音波出力部（１０）と、
前記少なくとも１つの超音波出力部における前記進行方向側の空間を取り囲み、前記進行方向側に向かうにつれて取り囲む空間が大きくなるように構成されたホーン部（３０）と、
前記超音波出力部と前記ホーン部との間に配置され、前記超音波出力部を構成する素材よりも柔らかい素材で構成され、前記音波出力面の外縁部（１０Ｃ）が拘束されない状態で前記超音波出力部を保持するように構成された保持部（２０Ａ，２０Ｂ，２０Ｃ）と、
を備え、
前記ホーン部は、前記進行方向側の空間の前記進行方向とは反対側に、前記進行方向と直交する面を有する底面部（３４）、をさらに備え、
前記底面部は、前記保持部よりも前記進行方向側に位置し、
前記超音波出力部は、前記音波出力面が、前記底面部よりも前記進行方向側に突出する
ように構成された超音波出力装置。
【請求項２】
入力信号に応じた超音波を予め設定された進行方向に向けて音波出力面（１０Ａ）から出力するように構成された少なくとも１つの超音波出力部（１０）と、
前記少なくとも１つの超音波出力部における前記進行方向側の空間を取り囲み、前記進行方向側に向かうにつれて取り囲む空間が大きくなるように構成されたホーン部（３０）と、
前記超音波出力部と前記ホーン部との間に配置され、前記超音波出力部を構成する素材よりも柔らかい素材で構成され、前記音波出力面の外縁部（１０Ｃ）が拘束されない状態で前記超音波出力部を保持するように構成された保持部（２０Ａ，２０Ｂ，２０Ｃ）と、
を備え、
前記保持部は、前記進行方向側の端部における内周部分を切り欠いた形状に構成された切欠部（２４）、
をさらに備えた超音波出力装置（１Ａ，１Ｂ，１Ｃ）。
【請求項３】
入力信号に応じた超音波を出力する音波出力面（１０Ａ）を有する超音波出力部（１０）と、
前記超音波出力部が出力する超音波の進行方向側の空間を取り囲むホーン部（３０）と、
前記超音波出力部と前記ホーン部との間に配置され、前記超音波出力部を構成する素材よりも柔らかい素材で構成され、前記音波出力面の外縁部（１０Ｃ）との間に隙間を形成しつつ、前記超音波出力部を保持する保持部（２０Ａ，２０Ｂ，２０Ｃ）と、
を備えた超音波出力装置（１Ａ，１Ｂ，１Ｃ）。
【請求項４】
請求項２または請求項３に記載の超音波出力装置であって、
前記ホーン部は、前記進行方向側の空間の前記進行方向とは反対側に、前記進行方向と直交する面を有する底面部（３４）、をさらに備え、
前記超音波出力部は、前記音波出力面が、前記底面部よりも前記進行方向側に突出する
ように構成された超音波出力装置。
【請求項５】
請求項１または請求項３に記載の超音波出力装置であって、
前記保持部は、前記進行方向側の端部における内周部分を切り欠いた形状に構成された切欠部（２４）、
をさらに備えた超音波出力装置。
【請求項６】
請求項１から請求項５の何れか１項に記載の超音波出力装置であって、
前記超音波出力部は、前記保持部における前記進行方向側の端部（２５）よりも前記進行方向側に突出する
ように構成された超音波出力装置。
【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
一以上の端末固有探索領域（ＵＥ−ｓｐｅｃｉｆｉｃ  Ｓｅａｒｃｈ  Ｓｐａｃｅ）において構成されるＰＤＣＣＨ候補の数と、一以上の共通探索領域（Ｃｏｍｍｏｎ  Ｓｅａｒｃｈ  Ｓｐａｃｅ）において構成されるＰＤＣＣＨ候補の数と、を上位層から受信する受信部と、
スロット内のすべての前記端末固有探索領域におけるＰＤＣＣＨ候補の数と前記スロット内のすべての前記共通探索領域におけるＰＤＣＣＨ候補の数の総数が、前記スロット内のＰＤＣＣＨ候補の上限値を超える場合には、
前記スロット内におけるすべての前記端末固有探索領域においてモニタされるＰＤＣＣＨ候補の数を調整する処理部  を備える端末装置。
【請求項２】
前記スロット内のすべての前記共通探索領域においてモニタされるＰＤＣＣＨ候補の数は、前記ＰＤＣＣＨ候補の上限値よりも小さい  請求項１記載の端末装置。
【請求項３】
端末装置の通信方法であって、
一以上の端末固有探索領域（ＵＥ−ｓｐｅｃｉｆｉｃ  Ｓｅａｒｃｈ  Ｓｐａｃｅ）において構成されるＰＤＣＣＨ候補の数と、一以上の共通探索領域（Ｃｏｍｍｏｎ  Ｓｅａｒｃｈ  Ｓｐａｃｅ）において構成されるＰＤＣＣＨ候補の数と、を上位層から受信し、
スロット内のすべての前記端末固有探索領域におけるＰＤＣＣＨ候補の数と前記スロット内のすべての前記共通探索領域におけるＰＤＣＣＨ候補の数の総数が、前記スロット内のＰＤＣＣＨ候補の上限値を超える場合には、
前記スロット内におけるすべての前記端末固有探索領域においてモニタされるＰＤＣＣＨ候補の数を調整する  通信方法。
【請求項４】
第１のスロットに、一以上の前記端末固有探索領域と一以上の前記共通探索領域が構成され、かつ、前記第１のスロット内のすべての前記端末固有探索領域のＰＤＣＣＨ候補の数と前記第１のスロット内のすべての前記共通探索領域のＰＤＣＣＨ候補の数の総数が、前記第１のスロットにおけるＰＤＣＣＨ候補の上限値を超える場合には、
前記処理部は、前記第１のスロット内のすべての前記端末固有探索領域の前記ＰＤＣＣＨ候補の数と、前記第１のスロット内のすべての前記共通探索領域の前記ＰＤＣＣＨ候補の数と、前記第１のスロットにおける前記ＰＤＣＣＨ候補の上限値とに基づいて、前記第１のスロットにおける前記端末固有探索領域においてモニタされるＰＤＣＣＨ候補の数を調整し、
第２のスロットに、一以上の前記端末固有探索領域が構成され、前記共通探索領域は構成されない場合には、
前記処理部は、前記第２のスロット内のすべての前記端末固有探索領域の前記ＰＤＣＣＨ候補の数に基づいて、前記第２のスロットにおける前記端末固有探索領域においてモニタされるＰＤＣＣＨ候補の数を調整する  請求項１記載の端末装置。
【請求項５】
前記第１のスロットと前記第２のスロットは、同一のコンポーネントキャリア内に構成される  請求項４記載の端末装置。
【手続補正２】
【補正対象書類名】明細書
【補正対象項目名】発明の名称
【補正方法】変更
【補正の内容】
【発明の名称】端末装置、および、通信方法
【手続補正３】
【補正対象書類名】明細書
【補正対象項目名】０００１
【補正方法】変更
【補正の内容】
【０００１】
本発明は、端末装置、および、通信方法に関する。
【手続補正書】
【提出日】令和2年6月3日(2020.6.3)
【手続補正１】
【補正対象書類名】特許請求の範囲
【補正対象項目名】全文
【補正方法】変更
【補正の内容】
【特許請求の範囲】
【請求項１】
被写体を撮像する第１撮像部と、
前記第１撮像部の周辺位置に設置され、前記被写体を撮像する第２撮像部であって、前記第１撮像部より光学サイズが小さい複数の第２撮像部と、
前記第１撮像部により撮像された第１画像と、前記複数の第２撮像部により撮像された第２画像とに基づいて出力用のデータを生成する画像処理部と、
を備え、
前記画像処理部は、前記第１撮像部により撮像された第１画像と、前記複数の第２撮像部により撮像された第２画像とを合成した合成画像を前記出力用のデータとして生成し、前記合成画像における前記第１画像と前記第２画像とを合成する位置に応じて合成比率を変化させ、
前記画像処理部は、前記合成画像における中央領域に近づくほど、前記第１撮像部により撮像された第１画像の画素値の反映割合を高くすることを特徴とする撮像装置。
【請求項２】
前記画像処理部は、前記第１撮像部により撮像された第１画像と、前記複数の第２撮像部により撮像された第２画像のうち少なくとも２つに基づいて、視差に関するデータと、前記被写体までの距離に関するデータの少なくとも一方を生成することを特徴とする請求項１に記載の撮像装置。
【請求項３】
複数の第１撮像部を備え、
前記複数の第１撮像部は、互いに異なる方向の被写体を撮像し、
少なくとも１つの第２撮像部は、前記複数の第１撮像部の間に設けられることを特徴とする請求項１または２に記載の撮像装置。
【請求項４】
前記複数の第１撮像部のレンズ先端は、前記複数の第２撮像部のレンズ先端より被写体の近くに設置されることを特徴とする請求項３に記載の撮像装置。
【請求項５】
前記第１撮像部と前記複数の第２撮像部は、レンズが個別に設けられる一方、撮像素子が同一基板上に形成されることを特徴とする請求項１から４のいずれかに記載の撮像装置。
【請求項６】
前記撮像素子は、前記画像処理部を含むことを特徴とする請求項５に記載の撮像装置。
【請求項７】
前記第１撮像部もしくは前記複数の第２撮像部の少なくとも１つに、レンズを透過した光のうち所定方位の偏光成分を透過させる偏光子を設けることを特徴とする請求項１から６のいずれかに記載の撮像装置。
【請求項８】
前記第１撮像部もしくは前記複数の第２撮像部の少なくとも１つに、レンズを透過した光を電荷に変換する単位である光電変換部を含む画素の配列において、１つの前記レンズに対応する画素領域を分割してなる複数の部分領域のそれぞれに、前記光電変換部を設けることを特徴とする請求項１から７のいずれかに記載の撮像装置。
【請求項９】
前記第１撮像部もしくは前記複数の第２撮像部の少なくとも１つに、４つ以上の波長帯を検出可能な画素を設けることを特徴とする請求項１から８のいずれかに記載の撮像装置。
【請求項１０】
前記画像処理部は、前記第１撮像部により撮像された第１画像と、前記複数の第２撮像部により撮像された第２画像のうち少なくとも２つに基づいて、前記被写体までの距離に関するデータを生成し、その距離に関するデータを、機械学習により予め得られたデータに基づいて補正することを特徴とする請求項１から９のいずれかに記載の撮像装置。
【請求項１１】
前記画像処理部は、前記第１撮像部により撮像された第１画像と、機械学習により予め得られたデータとに基づいて、前記第２撮像部により撮像された第２画像を補正することを特徴とする請求項１から１０のいずれかに記載の撮像装置。
【請求項１２】
前記第１撮像部により撮像された第１画像の特性と、前記複数の第２撮像部のそれぞれにより撮像された第２画像の特性に関するデータを記憶する記憶部をさらに備え、
前記画像処理部は、前記第１撮像部により撮像された第１画像の特性と、前記複数の第２撮像部のそれぞれにより撮像された第２画像の特性とを一致させるよう調整することを特徴とする請求項１から１１のいずれかに記載の撮像装置。
【請求項１３】
前記画像処理部は、前記複数の第２撮像部のそれぞれにより撮像された第２画像の特性を、前記第１撮像部により撮像された第１画像の特性に一致させるように、前記複数の第２撮像部のそれぞれにより撮像された第２画像を補正することを特徴とする請求項１２に記載の撮像装置。
【請求項１４】
前記画像処理部は、前記複数の第２撮像部のそれぞれにより撮像された第２画像に対して、その信号雑音比に応じて画素加算を実行することを特徴とする請求項１から１３のいずれかに記載の撮像装置。
【請求項１５】
同一の方向を撮像する複数の第１撮像部を備え、
前記複数の第１撮像部の周辺位置に、前記複数の第２撮像部を設置したことを特徴とする請求項１から１４のいずれかに記載の撮像装置。
【請求項１６】
少なくとも２つの第２撮像部は、ユーザの瞳孔間距離より離した位置に設けられることを特徴とする請求項１５に記載の撮像装置。
【請求項１７】
前記画像処理部は、１つの第１撮像部により撮像された第１画像の中の、別の第１撮像部により撮像された第１画像には映らない領域における被写体までの距離を、当該第１撮像部の周辺に設置された第２撮像部により撮像された第２画像に基づいて導出することを特徴とする請求項１５に記載の撮像装置。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
直流電源に接続する一対の直流端子と、
負荷に接続する交流端子と、
複数のワイドバンドギャップ半導体素子から構成され直流電力を交流電力に変換する逆変換回路と前記ワイドバンドギャップ半導体素子のスイッチング時に電荷を供給するために当該逆変換回路の入力側に接続されるスイッチング用コンデンサとを有するインバータパワーユニットと、
前記一対の直流端子と前記インバータパワーユニットの入力側との間に設ける平滑化用コンデンサと
を備え、
前記スイッチング用コンデンサの容量は、前記平滑化用コンデンサの容量の１／２以下であり、
前記平滑化用コンデンサと前記インバータパワーユニットとは、所定値以上のインダクタンスを有する配線を介して接続される
ことを特徴とする電力変換装置。
【請求項２】
前記インダクタンスの前記所定値は、前記スイッチング用コンデンサと前記逆変換回路内との電流経路上のインダクタンスの２倍以上の値に設定される
ことを特徴とする請求項１に記載の電力変換装置。
【請求項３】
前記電力変換装置は、鉄道車両用電力変換装置であり、
架線から交流電力を集電するパンタグラフと前記一対の直流端子との間に、当該交流電力を直流電力に変換するコンバータパワーユニットを備える
ことを特徴とする請求項１または２に記載の電力変換装置。
【請求項４】
さらに、第２の逆変換回路及び当該第２の逆変換回路の入力側に並列に接続される第２のスイッチング用コンデンサを有する補助電源用パワーユニットを備え、
前記補助電源用パワーユニットは、前記インバータパワーユニットと前記平滑化用コンデンサとの間に並列に接続され、
前記平滑化用コンデンサと前記補助電源用パワーユニットとは、所定値以上のインダクタンスを有する配線を介して接続される
ことを特徴とする請求項３に記載の電力変換装置。
【手続補正２】
【補正対象書類名】明細書
【補正対象項目名】００１６
【補正方法】変更
【補正の内容】
【００１６】
本発明に係る電力変換装置は、直流電源に接続する一対の直流端子と、負荷に接続する交流端子と、複数のワイドバンドギャップ半導体素子から構成され直流電力を交流電力に変換する逆変換回路とワイドバンドギャップ半導体素子のスイッチング時に電荷を供給するために当該逆変換回路の入力側に接続されるスイッチング用コンデンサとを有するインバータパワーユニットと、一対の直流端子とインバータパワーユニットの入力側との間に設ける平滑化用コンデンサとを備え、スイッチング用コンデンサの容量は、平滑化用コンデンサの容量の１／２以下であり、平滑化用コンデンサとインバータパワーユニットとは、所定値以上のインダクタンスを有する配線を介して接続されることを特徴とする。
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
被検体内に挿入される挿入部の先端に設けられた先端部と、
前記挿入部において前記先端部の基端側に接続され、互いに直交する二方向に湾曲可能な湾曲部と、
前記湾曲部内を前記挿入部の長手軸方向に挿通する複数の同軸線と、
前記先端部内において、超音波を送受信する表面と反対側の面が前記長手軸に対して傾斜して設けられたコンベックス型の超音波振動子と、
前記先端部内に配設され、前記超音波振動子に接続するとともに前記同軸線に接続し、前記超音波振動子から前記同軸線への電気信号の伝送を中継する中継基板と、
を備え、
前記中継基板は、
前記超音波振動子と接続し、前記超音波振動子の前記反対側の面から延びる第１の面と、
前記同軸線と接続する第２の面と、
前記超音波振動子の前記反対側の面と対向するように配設され、前記第１の面と第１の屈曲部を介して連なり、前記第１の屈曲部と互いに直交する方向に屈曲する第２の屈曲部を介して前記第２の面と連なる第３の面と、
を有することを特徴とする超音波内視鏡。
【請求項２】
前記第２の面および前記第３の面は、前記超音波振動子の前記反対側の面内に収まることを特徴とする請求項１に記載の超音波内視鏡。
【請求項３】
前記第３の面は、前記超音波振動子の前記反対側の面に沿うように配設されることを特徴とする請求項１に記載の超音波内視鏡。
【請求項４】
前記第３の面は、前記第２の面に沿うように配設されることを特徴とする請求項１に記載の超音波内視鏡。
【請求項５】
前記超音波振動子は、半円柱形状を有し、
前記超音波振動子の表面は、前記半円柱の側面であり、
前記第１の面は、前記半円柱の底面に沿って延びる面であることを特徴とする請求項１に記載の超音波内視鏡。
【請求項６】
前記中継基板は、一枚の基板を用いて形成される
ことを特徴とする請求項１に記載の超音波内視鏡。
【請求項７】
前記中継基板は、
前記第１の屈曲部を有し、前記超音波振動子に接続する先端側基板と、
前記第２の屈曲部を有し、前記先端側基板に接続するとともに、前記複数の同軸線に接続する基端側基板と、
を備えることを特徴とする請求項１に記載の超音波内視鏡。
【請求項８】
前記基端側基板は、
一端が前記先端側基板に接続するとともに、他端が、前記複数の同軸線のうちの一部の同軸線に接続する第１基端側基板と、
一端が前記先端側基板に接続するとともに、他端が、前記複数の同軸線のうち、前記第１基端側基板に接続する同軸線とは異なる同軸線に接続する第２基端側基板と、
を有することを特徴とする請求項７に記載の超音波内視鏡。
【請求項９】
前記先端側基板は、前記超音波振動子に接続する先端側第１部分と、前記基端側基板にそれぞれ接続する先端側第２部分および先端側第３部分とを有し、
前記先端側第２部分および先端側第３部分は、前記先端側第１部分に連なる前記第１の屈曲部をそれぞれ有する
ことを特徴とする請求項８に記載の超音波内視鏡。
【請求項１０】
前記第１基端側基板は、前記先端側第２部分の前記先端側第３部分側と反対側から該先端側第２部分に接続し、
前記第２基端側基板は、前記先端側第３部分の前記先端側第２部分側と反対側から該先端側第３部分に接続する
ことを特徴とする請求項９に記載の超音波内視鏡。
【請求項１１】
前記第１基端側基板は、前記先端側第２部分の前記先端側第３部分側から該先端側第２部分に接続し、
前記第２基端側基板は、前記先端側第３部分の前記先端側第２部分側から該先端側第３部分に接続する
ことを特徴とする請求項９に記載の超音波内視鏡。
【請求項１２】
前記先端側基板と前記基端側基板とは、対応する電極同士を接触させることによって接続し、
少なくとも一方の基板に形成される電極は、フライングリード構造をなしている
ことを特徴とする請求項７に記載の超音波内視鏡。
【請求項１３】
前記第１および第２の屈曲部は、厚さが、他の部分の厚さと比して薄い
ことを特徴とする請求項１に記載の超音波内視鏡。
【請求項１４】
前記中継基板は、屈曲自在なフレキシブル基板を用いて形成される
ことを特徴とする請求項１に記載の超音波内視鏡。
【請求項１５】
前記超音波振動子は、複数の圧電素子を有する
ことを特徴とする請求項１に記載の超音波内視鏡。
【請求項１６】
前記湾曲部は、前記超音波振動子が送信する超音波による走査面と平行な平面に沿った第１の湾曲方向と、前記走査面に対して垂直な平面に沿った第２の湾曲方向とに湾曲可能である
ことを特徴とする請求項１５に記載の超音波内視鏡。
【手続補正２】
【補正対象書類名】明細書
【補正対象項目名】発明の名称
【補正方法】変更
【補正の内容】
【発明の名称】超音波内視鏡
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
遊技者に有利な遊技状態に当選させるか否かの確率に関する設定値を操作に基づき設定すると共に、遊技動作の進行制御を行う制御手段と、
前記設定値の設定操作を受け付ける設定操作受付状態への移行判定を行うにあたり前記制御手段が用いる検出信号をそれぞれ出力する第一検出手段、及び第二検出手段と、を備え、
前記制御手段は、
前記第一検出手段の検出信号と前記第二検出手段の検出信号とを同一の入力ポートを介して入力すると共に、該入力した各検出信号の値がそれぞれ所定条件を満たす値であるか否かを一括判定する
遊技機。
【手続補正２】
【補正対象書類名】明細書
【補正対象項目名】０００５
【補正方法】変更
【補正の内容】
【０００５】
設定値を操作に基づき設定可能な遊技機について、ホールスタッフ等が設定値の設定を行うにあたっては、遊技機に対し特定の操作を行って遊技機を設定操作受付状態に移行させる。そして、この設定操作受付状態において、遊技機に対し設定値の設定操作を行う。
本発明は、設定値を操作に基づき設定可能な遊技機において、処理負担軽減を図ることを目的とする。
【手続補正３】
【補正対象書類名】明細書
【補正対象項目名】０００６
【補正方法】変更
【補正の内容】
【０００６】
本発明に係る遊技機は、遊技者に有利な遊技状態に当選させるか否かの確率に関する設定値を操作に基づき設定すると共に、遊技動作の進行制御を行う制御手段と、前記設定値の設定操作を受け付ける設定操作受付状態への移行判定を行うにあたり前記制御手段が用いる検出信号をそれぞれ出力する第一検出手段、及び第二検出手段と、を備え、前記制御手段は、前記第一検出手段の検出信号と前記第二検出手段の検出信号とを同一の入力ポートを介して入力すると共に、該入力した各検出信号の値がそれぞれ所定条件を満たす値であるか否かを一括判定するものである。
【手続補正４】
【補正対象書類名】明細書
【補正対象項目名】０００７
【補正方法】変更
【補正の内容】
【０００７】
これにより、設定操作受付状態への移行判定について、各検出信号の値が所定条件を満たす値か否かを個別判定する場合よりも判定処理数の削減が図られる。
【手続補正５】
【補正対象書類名】明細書
【補正対象項目名】０００８
【補正方法】変更
【補正の内容】
【０００８】
本発明によれば、設定値を操作に基づき設定可能な遊技機において、処理負担軽減を図ることができる。
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
遊技者に有利な遊技状態に当選させるか否かの確率に関する設定値を設定可能な設定手段と、
遊技実績に基づいて算出された所定情報を表示する表示手段と、を備えた遊技機において、
前記表示手段は、
前記設定値の設定が可能な設定可能期間においては、前記設定値の表示を行う一方、前記所定情報の表示を行わず、
前記設定可能期間が終了した後に、動作確認表示を所定時間行った後、前記所定情報の表示を開始し、
前記動作確認表示中に電源が遮断した場合は、次の電源投入時において当該動作確認表示を所定時間、改めて行う
遊技機。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
本発明は、設定値の表示や遊技実績に基づいて算出された所定情報の表示を行う表示手段について、状況に応じた適切な表示が行われるようにすることを目的とする。
【手続補正４】
【補正対象書類名】明細書
【補正対象項目名】０００７
【補正方法】変更
【補正の内容】
【０００７】
本発明に係る遊技機は、遊技者に有利な遊技状態に当選させるか否かの確率に関する設定値を設定可能な設定手段と、遊技実績に基づいて算出された所定情報を表示する表示手段と、を備えた遊技機において、前記表示手段は、前記設定値の設定が可能な設定可能期間においては、前記設定値の表示を行う一方、前記所定情報の表示を行わず、前記設定可能期間が終了した後に、動作確認表示を所定時間行った後、前記所定情報の表示を開始し、前記動作確認表示中に電源が遮断した場合は、次の電源投入時において当該動作確認表示を所定時間、改めて行うものである。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明によれば、設定値の表示や遊技実績に基づいて算出された所定情報の表示を行う表示手段について、状況に応じた適切な表示が行われるようにすることができる。
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
遊技者に有利な遊技状態に移行させるか否かについて当落判定を行うと共に、遊技動作の進行制御を行う制御手段と、
前記制御手段による情報の読み出し及び書き込みが可能とされた記憶手段と、を備え、
前記当落判定が行われると、特別図柄が特別図柄表示手段にて変動表示され前記当落判定の結果を示す態様で停止表示されると共に、
前記当落判定が行われると、装飾図柄が装飾図柄表示手段にて変動表示され前記当落判定の結果を示す態様で停止表示される遊技機であって、
前記制御手段は、
遊技者に有利な遊技状態に当選させるか否かの確率に関する設定値を操作に基づき設定する設定手段と、
前記記憶手段の記憶情報をクリアするクリア処理を行うクリア手段と、を有し、
前記制御手段が前記記憶手段の記憶情報を電源遮断前の状態に復帰させるバックアップ復帰処理を行う場合と、前記設定手段による前記設定値の設定処理と前記クリア手段による前記クリア処理とが行われる場合とで、電源投入後に前記装飾図柄表示手段に初期表示される前記装飾図柄として同じ出目による図柄を表示させる表示制御手段を備えた
遊技機。
【手続補正２】
【補正対象書類名】明細書
【補正対象項目名】０００５
【補正方法】変更
【補正の内容】
【０００５】
設定値を操作に基づき設定可能な遊技機では、設定値の設定操作が行われたか否かを遊技者に悟られてしまうと、遊技の公平性が損なわれることがある。
本発明は上記事情に鑑み為されたものであり、設定値を操作に基づき設定可能な遊技機において、遊技の公平性を高めることを目的とする。
【手続補正３】
【補正対象書類名】明細書
【補正対象項目名】０００６
【補正方法】変更
【補正の内容】
【０００６】
本発明に係る遊技機は、遊技者に有利な遊技状態に移行させるか否かについて当落判定を行うと共に、遊技動作の進行制御を行う制御手段と、前記制御手段による情報の読み出し及び書き込みが可能とされた記憶手段と、を備え、前記当落判定が行われると、特別図柄が特別図柄表示手段にて変動表示され前記当落判定の結果を示す態様で停止表示されると共に、前記当落判定が行われると、装飾図柄が装飾図柄表示手段にて変動表示され前記当落判定の結果を示す態様で停止表示される遊技機であって、前記制御手段は、遊技者に有利な遊技状態に当選させるか否かの確率に関する設定値を操作に基づき設定する設定手段と、前記記憶手段の記憶情報をクリアするクリア処理を行うクリア手段と、を有し、前記制御手段が前記記憶手段の記憶情報を電源遮断前の状態に復帰させるバックアップ復帰処理を行う場合と、前記設定手段による前記設定値の設定処理と前記クリア手段による前記クリア処理とが行われる場合とで、電源投入後に前記装飾図柄表示手段に初期表示される前記装飾図柄として同じ出目による図柄を表示させる表示制御手段を備えたものである。
【手続補正４】
【補正対象書類名】明細書
【補正対象項目名】０００７
【補正方法】変更
【補正の内容】
【０００７】
これにより、設定値の設定操作が行われたか否かが遊技者によって悟られない。
【手続補正５】
【補正対象書類名】明細書
【補正対象項目名】０００８
【補正方法】変更
【補正の内容】
【０００８】
本発明によれば、設定値を操作に基づき設定可能な遊技機において、遊技の公平性を高めることができる。
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域に対して遊技媒体を発射する発射手段と、
遊技動作の進行制御を行う制御手段と、を備え、
前記制御手段は、
遊技者に有利な遊技状態に当選させるか否かの確率に関する設定値を操作に基づき設定する設定手段と、
前記遊技動作に関するエラーの有無を判定するエラー判定処理を行うエラー判定手段と、
前記設定値の設定操作を受け付ける設定操作受付中状態においては、前記発射手段による前記発射を不能とし前記エラー判定手段による前記エラー判定処理が行われないようにし、前記設定値の設定操作完了後において、前記発射を許可し、前記エラー判定処理が行われようにする設定操作対応処理手段と、を有する
遊技機。
【手続補正２】
【補正対象書類名】明細書
【補正対象項目名】０００５
【補正方法】変更
【補正の内容】
【０００５】
設定値を操作に基づき設定可能な遊技機においては、設定値の設定操作を受け付ける設定操作受付中状態において、遊技動作が進展しない状態となる。
本発明は上記事情に鑑み為されたものであり、設定値を操作に基づき設定可能な遊技機において、処理負担軽減を図ることを目的とする。
【手続補正３】
【補正対象書類名】明細書
【補正対象項目名】０００６
【補正方法】変更
【補正の内容】
【０００６】
本発明に係る遊技機は、遊技領域が形成された遊技盤と、前記遊技領域に対して遊技媒体を発射する発射手段と、遊技動作の進行制御を行う制御手段と、を備え、前記制御手段は、遊技者に有利な遊技状態に当選させるか否かの確率に関する設定値を操作に基づき設定する設定手段と、前記遊技動作に関するエラーの有無を判定するエラー判定処理を行うエラー判定手段と、前記設定値の設定操作を受け付ける設定操作受付中状態においては、前記発射手段による前記発射を不能とし前記エラー判定手段による前記エラー判定処理が行われないようにし、前記設定値の設定操作完了後において、前記発射を許可し、前記エラー判定処理が行われようにする設定操作対応処理手段と、を有するものである。
【手続補正４】
【補正対象書類名】明細書
【補正対象項目名】０００７
【補正方法】変更
【補正の内容】
【０００７】
これにより、設定操作受付中の状態、すなわち遊技媒体が発射不能とされて遊技動作が進展しない状態において、無闇にエラー判定処理が行われることがない。
【手続補正５】
【補正対象書類名】明細書
【補正対象項目名】０００８
【補正方法】変更
【補正の内容】
【０００８】
本発明によれば、設定値を操作に基づき設定可能な遊技機において、処理負担軽減を図ることができる。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
遊技を行うことが可能であり、遊技媒体の払い出しを行うことが可能な有利状態に制御可能な遊技機であって、
前記有利状態として、第１有利状態と、該第１有利状態とは異なる第２有利状態と、に制御可能であり、
遊技者にとって有利な状態であって、前記有利状態よりも少ない遊技媒体の払い出しを行うことが可能な特殊状態に制御可能な特殊状態制御手段と、
非特別状態よりも前記特殊状態による遊技媒体の払い出しが行われやすい特別状態に制御可能な特別状態制御手段と、
貯留部に貯留されている遊技媒体の数が所定数を超えたことにもとづいて、特定報知を表示可能な特定報知表示手段と、を備え、
前記特定報知表示手段は、
前記有利状態に制御されている場合に、所定態様により前記特定報知を表示可能であり、
前記特別状態に制御されている場合に、前記所定態様よりも認識度合いが低い特定態様により前記特定報知を表示可能であり、
前記特別状態に制御されていない場合に、前記特定態様により前記特定報知を表示可能であり、
前記特別状態制御手段は、
前記特別状態として、第１特別状態と、該第１特別状態よりも前記特殊状態による遊技媒体の払い出しが行われやすい第２特別状態と、に制御可能であり、
前記第１有利状態の終了後に前記第１特別状態に制御可能であり、
前記第２有利状態の終了後に前記第２特別状態に制御可能であり、
前記第２特別状態において、前記特殊状態に制御される場合に該特殊状態において遊技媒体が進入可能な所定領域に遊技媒体が進入したことにもとづいて進入演出が実行され、
前記第１特別状態において、前記特殊状態に制御される場合に前記所定領域に遊技媒体が進入したときに前記進入演出が実行されず、
前記進入演出として、前記第２特別状態中に前記所定領域に遊技媒体が進入したことにもとづいて払い出された遊技媒体の数に対応する対応表示を表示するとともに、前記第２特別状態中に前記所定領域に遊技媒体が進入したことに対応した演出を実行する
ことを特徴とする遊技機。
【手続補正２】
【補正対象書類名】明細書
【補正対象項目名】０００９
【補正方法】変更
【補正の内容】
【０００９】
（手段Ａ）本発明による遊技機は、遊技を行うことが可能であり、遊技媒体の払い出しを行うことが可能な有利状態（例えば、大当り遊技状態）に制御可能な遊技機であって、有利状態として、第１有利状態と、該第１有利状態とは異なる第２有利状態と、に制御可能であり、遊技者にとって有利な状態であって、有利状態よりも少ない遊技媒体の払い出しを行うことが可能な特殊状態に制御可能な特殊状態制御手段と、非特別状態よりも特殊状態による遊技媒体の払い出しが行われやすい特別状態（例えば、ＫＴ状態）に制御可能な特別状態制御手段（例えば、遊技制御用マイクロコンピュータ５６０におけるステップＳ２２０８Ａ，Ｓ２２１４Ａ，Ｓ２２１８Ａ，Ｓ２２２０Ａ，ステップＳ２２０８Ｂ，Ｓ２２１４Ｂ，Ｓ２２１８Ｂ，Ｓ２２２０Ｂを実行する部分）と、貯留部（例えば、余剰球受皿（下皿）４）に貯留されている遊技媒体（例えば、遊技球）の数が所定数を超えたことにもとづいて、特定報知（例えば、図６３に示す満タンエラー報知）を表示可能な特定報知表示手段（例えば、演出制御用マイクロコンピュータ２００におけるステップＳ６６０，Ｓ６６１を実行する部分）とを備え、特定報知表示手段は、有利状態に制御されている場合に、所定態様により特定報知を表示可能であり（例えば、演出制御用マイクロコンピュータ２００は、ステップＳ６５９でＹのときステップＳ６６０を実行し、図６３（Ａ）に示すように、大当り遊技中である場合には、演出表示装置９において満タンエラー報知（大）３１３を表示する）、特別状態に制御されている場合に、所定態様よりも認識度合いが低い特定態様により特定報知を表示可能であり（例えば、演出制御用マイクロコンピュータ２００は、ステップＳ６５９でＮのときステップＳ６６１を実行し、図６３（Ｂ）に示すように、ＫＴ状態中である場合には、演出表示装置９において満タンエラー報知（小）３１４を表示する）、特別状態に制御されていない場合に、特定態様により特定報知を表示可能であり、特別状態制御手段は、特別状態として、第１特別状態と、該第１特別状態よりも特殊状態による遊技媒体の払い出しが行われやすい第２特別状態と、に制御可能であり、第１有利状態の終了後に第１特別状態に制御可能であり、第２有利状態の終了後に第２特別状態に制御可能であり、第２特別状態において、特殊状態に制御される場合に該特殊状態において遊技媒体が進入可能な所定領域に遊技媒体が進入したことにもとづいて進入演出が実行され、第１特別状態において、特殊状態に制御される場合に所定領域に遊技媒体が進入したときに進入演出が実行されず、進入演出として、第２特別状態中に所定領域に遊技媒体が進入したことにもとづいて払い出された遊技媒体の数に対応する対応表示を表示するとともに、第２特別状態中に所定領域に遊技媒体が進入したことに対応した演出を実行することを特徴とする。そのような構成によれば、遊技の状態に対応して適切な特定報知を表示することができる。
（手段１）他の遊技機は、遊技を行うことが可能であり、遊技媒体の払い出しを行うことが可能な有利状態（例えば、大当り遊技状態）に制御可能な遊技機であって、有利状態とは異なる状態であって遊技者にとって有利な特別状態（例えば、ＫＴ状態）に制御可能な特別状態制御手段（例えば、遊技制御用マイクロコンピュータ５６０におけるステップＳ２２０８Ａ，Ｓ２２１４Ａ，Ｓ２２１８Ａ，Ｓ２２２０Ａ，ステップＳ２２０８Ｂ，Ｓ２２１４Ｂ，Ｓ２２１８Ｂ，Ｓ２２２０Ｂを実行する部分）と、貯留部（例えば、余剰球受皿（下皿）４）に貯留されている遊技媒体（例えば、遊技球）の数が所定数を超えたことにもとづいて、特定報知（例えば、図６３に示す満タンエラー報知）を実行可能な特定報知実行手段（例えば、演出制御用マイクロコンピュータ２００におけるステップＳ６６０，Ｓ６６１を実行する部分）とを備え、特定報知実行手段は、有利状態に制御されている場合に、所定態様により特定報知を実行可能であり（例えば、演出制御用マイクロコンピュータ２００は、ステップＳ６５９でＹのときステップＳ６６０を実行し、図６３（Ａ）に示すように、大当り遊技中である場合には、演出表示装置９において満タンエラー報知（大）３１３を表示する）、特別状態に制御されている場合に、所定態様よりも認識度合いが低い特定態様により特定報知を実行可能である（例えば、演出制御用マイクロコンピュータ２００は、ステップＳ６５９でＮのときステップＳ６６１を実行し、図６３（Ｂ）に示すように、ＫＴ状態中である場合には、演出表示装置９において満タンエラー報知（小）３１４を表示する）ことを特徴とする。そのような構成によれば、遊技の状態に対応して適切な特定報知を実行することができる。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
可変表示を行うことが可能であり、可変表示の表示結果として特定表示結果が導出表示されたときに可変手段を動作させて遊技者にとって有利な有利状態に制御可能な遊技機であって、
可変表示の実行にもとづいて、前記有利状態とは異なる状態であって遊技者にとって有利な特殊状態に制御可能な特殊状態制御手段と、
第１特別状態と、該第１特別状態よりも前記特殊状態により遊技価値が付与されやすい第２特別状態と、に制御可能な特別状態制御手段と、
所定経路への遊技媒体の発射操作を促すための発射促進報知を実行可能な発射促進報知手段と、を備え、
前記発射促進報知手段は、
前記第１特別状態に制御されている場合において、特殊態様により前記発射促進報知を実行可能であり、
前記第２特別状態に制御されている場合において、前記特殊状態に制御される可変表示の可変表示期間が所定期間未満であるときに、当該可変表示の実行中に前記特殊態様よりも認識度合いが高い所定態様により前記発射促進報知を実行可能であり、
前記第２特別状態に制御されている場合において、可変表示期間が前記所定期間以上であるときに、可変表示の実行中に前記特殊態様とは異なる態様であって前記所定態様よりも認識度合いが低い特定態様により前記発射促進報知を実行可能であり、
可変表示の実行中に前記特定態様により前記発射促進報知を実行した場合に、可変表示の表示結果として前記可変手段の動作に対応しない所定表示結果が導出表示されたときに、前記特定態様から前記所定態様に変更して前記発射促進報知を実行可能である
ことを特徴とする遊技機。
【手続補正２】
【補正対象書類名】明細書
【補正対象項目名】０００９
【補正方法】変更
【補正の内容】
【０００９】
（手段１）本発明による遊技機は、可変表示を行うことが可能であり、可変表示の表示結果として特定表示結果が導出表示されたときに可変手段を動作させて遊技者にとって有利な有利状態（例えば、大当り遊技状態）に制御可能な遊技機であって、可変表示の実行にもとづいて、有利状態とは異なる状態であって遊技者にとって有利な特殊状態（例えば、小当り遊技状態）に制御可能な特殊状態制御手段（例えば、遊技制御用マイクロコンピュータ５６０におけるステップＳ３５９〜Ｓ３６１を実行する部分）と、第１特別状態（第１ＫＴ状態）と、該第１特別状態よりも特殊状態により遊技価値が付与されやすい第２特別状態（例えば、第２ＫＴ状態）と、に制御可能な特別状態制御手段（例えば、遊技制御用マイクロコンピュータ５６０におけるステップＳ２２０８Ａ，Ｓ２２１４Ａ，Ｓ２２１８Ａ，Ｓ２２２０Ａ，ステップＳ２２０８Ｂ，Ｓ２２１４Ｂ，Ｓ２２１８Ｂ，Ｓ２２２０Ｂを実行する部分）と、所定経路（例えば、遊技領域７の右方）への遊技媒体（例えば、遊技球）の発射操作を促すための発射促進報知（例えば、右打ち表示の表示）を実行可能な発射促進報知手段（例えば、演出制御用マイクロコンピュータ２００におけるステップＳ６２６，Ｓ６３９，Ｓ６５０，Ｓ６５５を実行する部分）と、を備え、発射促進報知手段は、第１特別状態に制御されている場合において、特殊態様により発射促進報知を実行可能であり、第２特別状態に制御されている場合において、特殊状態に制御される可変表示の可変表示期間が所定期間未満であるときに、当該可変表示の実行中に特殊態様よりも認識度合いが高い所定態様により発射促進報知を実行可能であり（例えば、演出制御用マイクロコンピュータ２００は、ステップＳ６５５を実行し、図６２（Ａ）に示すように、演出表示装置９の表示画面の中央下部において大サイズの「右打ち！」の文字表示を表示する）、第２特別状態に制御されている場合において、可変表示期間が所定期間以上であるときに、可変表示の実行中に特殊態様とは異なる態様であって所定態様よりも認識度合いが低い特定態様により発射促進報知を実行可能であり（例えば、演出制御用マイクロコンピュータ２００は、ステップＳ９２２でＹのときステップＳ９２４を実行し、図６２（Ｂ）に示すように、大サイズの「右打ち！」の文字表示から小サイズの「右打ち！」の文字表示に変更する）、可変表示の実行中に特定態様により発射促進報知を実行した場合に、可変表示の表示結果として可変手段の動作に対応しない所定表示結果が導出表示されたときに、特定態様から所定態様に変更して発射促進報知を実行可能であることを特徴とする。そのような構成によれば、可変表示の種類によって発射促進報知の態様を変化させることにより、適切な発射促進報知を実行することができる。
【手続補正書】
【提出日】令和2年11月13日(2020.11.13)
【手続補正１】
【補正対象書類名】特許請求の範囲
【補正対象項目名】全文
【補正方法】変更
【補正の内容】
【特許請求の範囲】
【請求項１】
可変表示を行うことが可能であり、遊技者にとって有利な有利状態に制御可能な遊技機であって、
前記有利状態とは異なる状態であって遊技者にとって有利な特殊状態に制御可能な特殊状態制御手段と、
前記特殊状態に制御される頻度を高めた特別状態に制御可能な特別状態制御手段と、
前記有利状態に制御されやすい所定状態に制御可能な所定状態制御手段と、を備え、
前記有利状態として、第１有利状態と、該第１有利状態より有利な第２有利状態と、を含み、
前記特別状態制御手段は、
前記特別状態として、第１特別状態と、該第１特別状態よりも有利度が高い第２特別状態とに制御可能であり、
前記第１特別状態において、前記第２特別状態と比べて、特定領域に遊技媒体が進入困難となるように制御し、
前記所定状態であって前記第２特別状態である状態において前記第２有利状態に制御された場合、該第２有利状態の終了後に前記所定状態であって前記第２特別状態である状態に制御され、
前記所定状態であって前記第２特別状態である状態において前記第１有利状態に制御された場合、該第１有利状態の終了後に前記所定状態でない状態であって前記第１特別状態である状態に制御され、
前記所定状態であって前記第２特別状態である状態において前記有利状態に制御される場合、前記第１有利状態と比べて高い割合により前記第２有利状態に制御される
ことを特徴とする遊技機。
【手続補正２】
【補正対象書類名】明細書
【補正対象項目名】０００９
【補正方法】変更
【補正の内容】
【０００９】
（手段Ａ）本発明による遊技機は、可変表示を行うことが可能であり、遊技者にとって有利な有利状態に制御可能な遊技機であって、前記有利状態とは異なる状態であって遊技者にとって有利な特殊状態に制御可能な特殊状態制御手段と、前記特殊状態に制御される頻度を高めた特別状態に制御可能な特別状態制御手段と、前記有利状態に制御されやすい所定状態に制御可能な所定状態制御手段と、を備え、前記有利状態として、第１有利状態と、該第１有利状態より有利な第２有利状態と、を含み、前記特別状態制御手段は、前記特別状態として、第１特別状態と、該第１特別状態よりも有利度が高い第２特別状態とに制御可能であり、前記第１特別状態において、前記第２特別状態と比べて、特定領域に遊技媒体が進入困難となるように制御し、前記所定状態であって前記第２特別状態である状態において前記第２有利状態に制御された場合、該第２有利状態の終了後に前記所定状態であって前記第２特別状態である状態に制御され、前記所定状態であって前記第２特別状態である状態において前記第１有利状態に制御された場合、該第１有利状態の終了後に前記所定状態でない状態であって前記第１特別状態である状態に制御され、前記所定状態であって前記第２特別状態である状態において前記有利状態に制御される場合、前記第１有利状態と比べて高い割合により前記第２有利状態に制御されることを特徴とする。
（手段１）他の遊技機は、可変表示を行うことが可能であり、遊技者にとって有利な有利状態（例えば、大当り遊技状態）に制御可能な遊技機であって、有利状態とは異なる状態であって遊技者にとって有利な特殊状態（例えば、小当り遊技状態）に制御可能な特殊状態制御手段（例えば、遊技制御用マイクロコンピュータ５６０におけるステップＳ３５９〜Ｓ３６１を実行する部分）と、特殊状態に制御される頻度を高めた特別状態（例えば、ＫＴ状態）に制御可能な特別状態制御手段（例えば、遊技制御用マイクロコンピュータ５６０におけるステップＳ２２０８Ａ，Ｓ２２１４Ａ，Ｓ２２１８Ａ，Ｓ２２２０Ａ，ステップＳ２２０８Ｂ，Ｓ２２１４Ｂ，Ｓ２２１８Ｂ，Ｓ２２２０Ｂを実行する部分）とを備え、特別状態制御手段は、特別状態として、第１特別状態（例えば、第１ＫＴ状態）と、該第１特別状態よりも有利度が高い第２特別状態（例えば、第２ＫＴ状態）とに制御可能であり、第１特別状態に制御する場合に、第２特別状態に制御する場合と比べて、特定領域（例えば、特殊入賞口２４）に遊技媒体（例えば、遊技球）が進入困難となるように制御し（例えば、第１ＫＴ状態では高ベース状態に制御して可変入賞球装置１５の開放時間が長くなるように制御することにより、特殊入賞口２４に入賞しにくくする）、第２特別状態に制御している場合において有利状態に制御されたときに、該有利状態を終了した後に高い割合により第２特別状態に制御可能である（例えば、図３３に示すように、高確率／第２ＫＴ状態に一旦制御されると、６５％の割合で確変大当りとなって再び高確率／第２ＫＴ状態に制御される）ことを特徴とする。そのような構成によれば、特別状態に制御する場合の遊技性の単調さを解消でき、遊技の興趣を向上させることができる。
【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
可変表示を行うことが可能であり、遊技者にとって有利な有利状態に制御可能な遊技機であって、
前記有利状態とは異なる状態であって遊技者にとって有利な特殊状態に制御可能な特殊状態制御手段と、
前記特殊状態に制御される頻度を高めた特別状態に制御可能な特別状態制御手段と、を備え、
前記特別状態制御手段は、
前記特別状態として、第１特別状態と、該第１特別状態よりも有利度が高い第２特別状態と、に制御可能であり、
前記第１特別状態において、前記第２特別状態と比べて、特定領域に遊技媒体が進入困難となるように制御し、
前記第１特別状態において、所定回数の可変表示が実行されたことにもとづいて前記第２特別状態に制御可能であり、
前記第１特別状態において前記所定回数の可変表示が実行されて前記第２特別状態に制御される場合に、前記第２特別状態に制御されることを報知する報知演出が実行される、
ことを特徴とする遊技機。
【手続補正２】
【補正対象書類名】明細書
【補正対象項目名】０００９
【補正方法】変更
【補正の内容】
【０００９】
（手段Ａ）本発明による遊技機は、可変表示を行うことが可能であり、遊技者にとって有利な有利状態に制御可能な遊技機であって、前記有利状態とは異なる状態であって遊技者にとって有利な特殊状態に制御可能な特殊状態制御手段と、前記特殊状態に制御される頻度を高めた特別状態に制御可能な特別状態制御手段と、を備え、前記特別状態制御手段は、前記特別状態として、第１特別状態と、該第１特別状態よりも有利度が高い第２特別状態と、に制御可能であり、前記第１特別状態において、前記第２特別状態と比べて、特定領域に遊技媒体が進入困難となるように制御し、前記第１特別状態において、所定回数の可変表示が実行されたことにもとづいて前記第２特別状態に制御可能であり、前記第１特別状態において前記所定回数の可変表示が実行されて前記第２特別状態に制御される場合に、前記第２特別状態に制御されることを報知する報知演出が実行される、ことを特徴とする。
（手段１）他の遊技機は、可変表示を行うことが可能であり、遊技者にとって有利な有利状態（例えば、大当り遊技状態）に制御可能な遊技機であって、有利状態とは異なる状態であって遊技者にとって有利な特殊状態（例えば、小当り遊技状態）に制御可能な特殊状態制御手段（例えば、遊技制御用マイクロコンピュータ５６０におけるステップＳ３５９〜Ｓ３６１を実行する部分）と、特殊状態に制御される頻度を高めた特別状態（例えば、ＫＴ状態）に制御可能な特別状態制御手段（例えば、遊技制御用マイクロコンピュータ５６０におけるステップＳ２２０８Ａ，Ｓ２２１４Ａ，Ｓ２２１８Ａ，Ｓ２２２０Ａ，ステップＳ２２０８Ｂ，Ｓ２２１４Ｂ，Ｓ２２１８Ｂ，Ｓ２２２０Ｂを実行する部分）とを備え、特別状態制御手段は、特別状態として、第１特別状態（例えば、第１ＫＴ状態）と、該第１特別状態よりも有利度が高い第２特別状態（例えば、第２ＫＴ状態）とに制御可能であり、第１特別状態に制御する場合に、第２特別状態に制御する場合と比べて、特定領域（例えば、特殊入賞口２４）に遊技媒体（例えば、遊技球）が進入困難となるように制御し（例えば、第１ＫＴ状態では高ベース状態に制御して可変入賞球装置１５の開放時間が長くなるように制御することにより、特殊入賞口２４に入賞しにくくする）、第１特別状態に制御している場合に、所定回数の可変表示が実行されたことにもとづいて第２特別状態に制御可能である（例えば、９Ｒ確変大当りＡ〜Ｃまたは６Ｒ確変大当りＡ〜Ｃにもとづく大当り遊技の後に高確率／第１ＫＴ状態に制御された場合には、大当りが発生することなく３０回、５０回、または７０回の変動表示を終了すると、高確率／第２ＫＴ状態に制御される）ことを特徴とする。そのような構成によれば、特別状態に制御する場合の遊技性の単調さを解消でき、遊技の興趣を向上させることができる。